(57)【要約】【課題】  簡単な構成で外乱光によって受光ができなくなることを防止することのできるパルス光信号の受光回路および方法を実現すること。【解決手段】受光部と、ローパスフィルタと、抵抗分圧回路と、前記受光部の出力信号について、前記ローパスフィルタを通った信号と、前記抵抗分圧回路を通った信号とを入力し、前記抵抗分圧回路を通った信号が前記ローパスフィルタを通った信号よりも大きなときにハイレベルを出力し、それ以外のときにはローレベルを出力する差分回路とを有する。【選択図】  図１
2005164545.tif 000002
【特許請求の範囲】
【請求項１】
受光部と、
ローパスフィルタと、
抵抗分圧回路と、
前記受光部の出力信号について、前記ローパスフィルタを通った信号と、前記抵抗分圧回路を通った信号とを入力し、前記抵抗分圧回路を通った信号が前記ローパスフィルタを通った信号よりも大きなときにハイレベルを出力し、それ以外のときにはローレベルを出力する差分回路とを有するパルス光信号の受光回路。
【請求項２】
受光部出力を得るステップと、
得られた受光部出力をローパスフィルタに入力するステップと、
得られた受光部出力を抵抗分圧回路に入力するステップと、
第1および第2の信号を入力し、第２の信号が第1の信号よりも大きなときにハイレベルを出力し、第２の信号が第1の信号よりも小さなときにローレベルを出力する差分回路に前記ローパスフィルタを通った信号を第１の信号として入力し、前記抵抗分圧回路を通った信号を第２の信号として入力して、その出力を得るステップとを有するパルス光信号の受光方法。
【発明の詳細な説明】
【技術分野】
【０００１】
本発明は、光信号を受光する回路および方法に関し、特に、パルス光により信号伝送が行なわれるリモートコントロール装置の光信号受光回路および方法に関する。
【背景技術】
【０００２】
リモート信号としてパルス状の光信号を用いるリモートコントロール装置が従来より多く使用されている。
【０００３】
光信号は受光素子により電気変換されて受信回路に出力されるが、光信号以外の外乱光により誤動作が発生することがある。
【０００４】
特許文献１（特開昭５６−１０３３３０号公報）には、自然光や白熱灯光源などからの外乱光による不具合を解消するために、雑音レベルに応じて利得を制御して雑音を一定量以下とする場合、蛍光灯などのパルス上の入射光に対しては自動利得制御が強くかかりすぎることを問題点とし、赤外線検知素子を流れる電流の大小により外乱光の赤外成分の大きさを知り、蛍光灯雑音と白熱灯雑音とを識別し、蛍光灯雑音に対しては自動利得制御を働かないものとする構成が開示されている。
【特許文献１】特開昭５６−１０３３３０号公報
【発明の開示】
【発明が解決しようとする課題】
【０００５】
上述した特許文献１に記載のものにおいては、蛍光灯雑音に対しては自動利得制御を働かないものとすることにより受信機の能力を発揮させるものであるが、そのことを実現するために、赤外線検知素子を流れる電流の大小により外乱光の赤外成分の大きさを知り、蛍光灯雑音と白熱灯雑音とを識別した上で自動利得制御機能を制御しなければならず、構成が複雑となり、コストが高いものとなるという問題点がある。
【０００６】
本発明は上述したような従来の技術が有する問題点に鑑みてなされたものであって、簡単な構成で外乱光によって受光ができなくなることを防止することのできるパルス光信号の受光回路および方法を実現することを目的とする。
【課題を解決するための手段】
【０００７】
本発明のパルス光信号の受光回路は、
受光部と、
ローパスフィルタと、
抵抗分圧回路と、
前記受光部の出力信号について、前記ローパスフィルタを通った信号と、前記抵抗分圧回路を通った信号とを入力し、前記抵抗分圧回路を通った信号が前記ローパスフィルタを通った信号よりも大きなときにハイレベルを出力し、それ以外のときにはローレベルを出力する差分回路とを有する。
【０００８】
本発明のパルス光信号の受光方法は、
受光部出力を得るステップと、
得られた受光部出力をローパスフィルタに入力するステップと、
得られた受光部出力を抵抗分圧回路に入力するステップと、
第1および第2の信号を入力し、第２の信号が第1の信号よりも大きなときにハイレベルを出力し、第２の信号が第1の信号よりも小さなときにローレベルを出力する差分回路に前記ローパスフィルタを通った信号を第１の信号として入力し、前記抵抗分圧回路を通った信号を第２の信号として入力して、その出力を得るステップとを有する。
【発明の効果】
【０００９】
上記のように構成される本発明において、パルス光信号はローパスフィルタと抵抗分圧回路に入力される。ローパスフィルタは非常に大きな時定数をもち、高い周波数であるパルス光信号によってはその出力は殆ど影響されない。 抵抗分圧回路の出力を、パルス光信号がない状態のときにはローパスフィルタ出力より小さく設定すると、パルス光信号がない状態のときには差分回路出力はローレベルとなる。パルス光信号があると抵抗分圧出力が大きく変化するが、上述したようにローパスフィルタ出力は殆ど変化しないため、差分回路の出力はハイレベルとなる。このように、簡単な回路構成で外乱光の影響を防止することができる。
【発明を実施するための最良の形態】
【００１０】
次に、本発明の実施の形態について図面を参照して説明する。
【００１１】
図１は本発明の一実施形態の要部構成を示す回路図、図２はその動作を示す各部の波形を示す図である。
【００１２】
図１に示される受光回路は、赤外線発光部１が発する赤外のパルス光信号を受信するためのもので、受光部２、ローパスフィルタ（ＬＰＦ）３、差分回路４、抵抗分圧回路を構成する抵抗Ｒａ、Ｒｂから構成されている。
【００１３】
赤外線発光部１が発する赤外のパルス光信号が受光部２に入射すると、入射光量に応じた電圧が発生し、ローパスフィルタ３を通って差分回路４の一方に入力される経路と、抵抗Ｒａ、Ｒｂによって分圧されて差分回路４の他方に入力される経路との２経路に分かれる。
【００１４】
差分回路４は、ローパスフィルタ３からの入力と、抵抗Ｒａ、Ｒｂによって分圧された入力とを比較し、ローパスフィルタ３からの入力が抵抗Ｒａ、Ｒｂによって分圧された入力よりも高い場合にはローレベルを出力し、ローパスフィルタ３からの入力が抵抗Ｒａ、Ｒｂによって分圧された入力よりも低い場合にはハイレベルを出力する。
【００１５】
図２はその様子を示したものである。受光部２の出力は、図２（ａ）に示されるように、受光部２の出力は白熱灯などの外乱光によるレベルに加えて赤外線のパルス光信号によるレベルが加えられたものとなり、抵抗Ｒａ、Ｒｂによる抵抗分圧出力は、図２（ｃ）に示すように図２（ａ）の所定割合のものとなる。
【００１６】
ローパスフィルタ３は非常に大きな時定数をもち、高い周波数であるパルス光信号について、ローパスフィルタ３の出力は図３（ｂ）に示すように殆ど影響されない。
【００１７】
通常時、抵抗分圧出力はローパスフィルタ３の出力より小さいため、差分回路４の出力はローレベルだが、パルス光信号の入力があると抵抗分圧出力が大きく変化し、ローパスフィルタ３の出力は殆ど変化しないため、差分回路４の出力はハイレベルとなり、図２（ｄ）に示すように外乱光の影響のない受信信号が得られる。
【図面の簡単な説明】
【００１８】
【図１】本発明の一実施形態の要部構成を示す回路図である。
【図２】図１に示した実施形態の動作を示す各部の波形を示す図である。
【符号の説明】
【００１９】
１    赤外線発光部
２    受光部
３    ローパスフィルタ
４    差分回路
【図１】
2005164545.tif 000003
【図２】
2005164545.tif 000004